(57)【要約】【課題】転写不良を未然に防ぐことが可能な画像形成装置の転写ベルト装置を提供する。【解決手段】この中間転写ユニット２０は、無端状の中間転写ベルト２４と、この中間転写ベルト２４を挟むように各感光体ドラム１２０に対向配置される１次転写ローラ２５と、カラー用感光体ドラム１２０に対向する３つの１次転写ローラ２５を保持するとともに、フレーム２１に回動可能に設けられる保持体２６と、この保持体２６を回動させるための一対のカム２７１が設けられるとともに、フレーム２１に回転可能に支持されるカム駆動軸２７と、中間転写ベルト２４に所定のテンションを付与するテンションローラ２８と、テンションローラ２８をその軸方向と直交方向に揺動可能に保持するアーム２９とを備えている。そして、アーム２９は、カム駆動軸２７に回動可能に支持されている。【選択図】図４
2009175581.tif 000002
【特許請求の範囲】
【請求項１】
フレームに設けられる駆動ローラおよび従動ローラ間に張設され、略一列に並ぶモノクロ用感光体ドラムおよび複数のカラー用感光体ドラムの周面に接触可能な無端状の転写ベルトと、
この転写ベルトを挟むように各感光体ドラムに対向配置されて、転写ベルトを感光体ドラムに圧接する転写ローラと、
カラー用感光体ドラムに対向する複数の転写ローラを保持するとともに、前記フレームに回動可能に設けられる保持体と、
この保持体を回動させて、転写ローラをカラー用感光体ドラムに対して接離させることで、転写ベルトとカラー用感光体ドラムとの接触・非接触の各状態を切り替えるためのカムが設けられるとともに、前記フレームに回転可能に支持されるカム駆動軸と、
転写ベルトの周面に接触して、当該転写ベルトに所定のテンションを付与するテンションローラとを備えた画像形成装置の転写ベルト装置であって、
前記カム駆動軸が、前記テンションローラをその軸方向と直交方向に揺動可能に支持する揺動支軸として機能することを特徴とする画像形成装置の転写ベルト装置。
【請求項２】
前記テンションローラをその軸方向と直交方向に揺動可能に保持するアームをさらに備え、
前記アームが前記カム駆動軸に回動可能に支持されていることを特徴とする請求項１に記載の画像形成装置の転写ベルト装置。
【発明の詳細な説明】
【技術分野】
【０００１】
本発明は、画像形成装置の転写ベルト装置に関する。
【背景技術】
【０００２】
従来、モノクロ（ブラック）用感光体ドラムおよび３つのカラー（シアン、マゼンタ、イエロー）用感光体ドラムを略一列に並設した、いわゆるタンデム型のカラープリンタ等の画像形成装置が知られている。
【０００３】
このようなカラープリンタには、上記４つの感光体ドラムの周面に接触可能に設けられる無端状の転写ベルトと、この転写ベルトを挟むように各感光体ドラムに対向配置され、転写ベルトを感光体ドラムに圧接して感光体ドラム上のトナー像を転写ベルトに転写させる転写ローラと、転写ベルトの周面に接触して、当該転写ベルトに所定のテンションを付与するテンションローラとを含む転写ベルト装置が備えられている。
【０００４】
ところで、カラープリンタでは、一般に、モノクロトナーの使用頻度が他のカラートナーの使用頻度に比べて高くなっているが、モノクロ印刷時においても、転写ベルトの周回に伴ってカラー用感光体ドラムが回転することで、カラートナーが僅かながら消費されるという不都合があった。このため、モノクロ印刷時には、転写ベルトとカラー用感光体ドラムとを非接触状態にして、カラー用感光体ドラムの回転を停止しておきたいという要望があった。
【０００５】
そこで、従来から、カラー用感光体ドラムに対向する転写ローラをカラー用感光体ドラムに対して接離可能に構成し、転写ローラの接離動作によって転写ベルトとカラー用感光体ドラムとの接触・非接触の各状態を切り替えるようにした、いわゆる３色解除機構を備えた画像形成装置が提案されている（例えば、特許文献１）。
【０００６】
また、上記構成の画像形成装置では、テンションローラがその軸方向と直交方向に揺動可能となっており、転写ローラの移動により転写ベルトが変位しても、テンションローラが揺動することで転写ベルトには所定のテンションが常時付与されるようになっている。
【特許文献１】特開２００２−９９１３２号公報
【発明の開示】
【発明が解決しようとする課題】
【０００７】
上記画像形成装置において、揺動によりテンションローラの軸方向がぶれた場合、テンションローラと転写ベルトとの接触圧が軸方向で異なるようになるため、転写ベルトが蛇行し、これによって転写不良が発生する虞がある。
【０００８】
本発明は、上記のような課題を解決するためになされたものであり、転写不良を未然に防ぐことが可能な画像形成装置の転写ベルト装置を提供することを目的とする。
【課題を解決するための手段】
【０００９】
上記目的を達成するために、本発明の請求項１に記載の画像形成装置の転写ベルト装置は、フレームに設けられる駆動ローラおよび従動ローラ間に張設され、略一列に並ぶモノクロ用感光体ドラムおよび複数のカラー用感光体ドラムの周面に接触可能な無端状の転写ベルトと、この転写ベルトを挟むように各感光体ドラムに対向配置されて、転写ベルトを感光体ドラムに圧接する転写ローラと、カラー用感光体ドラムに対向する複数の転写ローラを保持するとともに、前記フレームに回動可能に設けられる保持体と、この保持体を回動させて、転写ローラをカラー用感光体ドラムに対して接離させることで、転写ベルトとカラー用感光体ドラムとの接触・非接触の各状態を切り替えるためのカムが設けられるとともに、前記フレームに回転可能に支持されるカム駆動軸と、転写ベルトの周面に接触して、当該転写ベルトに所定のテンションを付与するテンションローラとを備えた画像形成装置の転写ベルト装置であって、前記カム駆動軸が、前記テンションローラをその軸方向と直交方向に揺動可能に支持する揺動支軸として機能することを特徴とするものである。
【００１０】
請求項２に記載の画像形成装置の転写ベルト装置は、請求項１の画像形成装置の転写ベルト装置において、前記テンションローラをその軸方向と直交方向に揺動可能に保持するアームをさらに備え、前記アームが前記カム駆動軸に回動可能に支持されていることを特徴とするものである。
【発明の効果】
【００１１】
請求項１の画像形成装置の転写ベルト装置によれば、カム駆動軸には、転写処理精度の向上の観点から高精度な位置設定を要求される転写ローラを、感光体ドラムに対して接離させるためのカムが設けられているため、当該カム駆動軸は、フレームに精度良く位置決めされて設けられている。そして、そのカム駆動軸が、テンションローラを揺動可能に支持する揺動支軸として機能するように構成したので、揺動によってテンションローラの軸方向がぶれるのを抑えることができる。これにより、テンションローラの軸ぶれに起因する転写ベルトの蛇行を抑えることができるので、転写不良を未然に防ぐことができる。
【００１２】
請求項２の画像形成装置の転写ベルト装置によれば、テンションローラを揺動可能に保持するアームをカム駆動軸に回動可能に支持させたので、テンションローラを、カム駆動軸を中心とする軌道上で揺動させることができる。これにより、テンションローラの揺動が安定するので、当該揺動によってテンションローラの軸方向がぶれるのを十分に抑えることができる。
【発明を実施するための最良の形態】
【００１３】
以下、本発明の実施形態を図面に基づいて説明する。
【００１４】
図１は、本発明の一実施形態によるプリンタの全体構成を示した正面断面図であり、図２および図３は、プリンタの中間転写ユニットの斜視図である。また、図４は、中間転写ユニットのカム駆動軸周辺の構成を説明するための斜視図である。また、図５および図６は、カラー印刷時およびモノクロ印刷時の中間転写ユニットの状態を示した概略説明図である。まず、本発明に係るプリンタ（画像形成装置）１０の内部構造の概要について説明する。なお、図１は、保持体が押圧位置にある状態を図示しており、図２〜図４は、保持体が解除位置にある状態を図示している。
【００１５】
図１に示すように、本実施形態のプリンタ１０は、箱形を呈した装置本体１１内にコンピュータ等の外部機器から伝送された画像情報に基づき画像を形成する画像形成部１２と、この画像形成部１２によって形成され、用紙Ｐに転写された画像に定着処理を施す定着部１３と、転写用の用紙を貯留する用紙貯留部１４とが内装されているとともに、当該装置本体１１の上部に定着処理後の用紙Ｐが排出される用紙排出部１５が形成されることによって基本構成されている。
【００１６】
前記装置本体１１の上面適所には、用紙Ｐの出力条件等を入力操作するための図略の操作パネルが設けられている。この操作パネルには、電源キーやスタートボタン、さらには出力条件を入力するための各種のキー等が設けられている。
【００１７】
前記画像形成部１２は、用紙貯留部１４から給紙された用紙Ｐにトナー画像を形成させるものであり、本実施形態では、上流側（図１においては右側）から下流側へ向けて順次配設された、マゼンタ色の現像剤（トナー）を用いるマゼンタ用ユニット１２Ｍと、シアン色の現像剤を用いるシアン用ユニット１２Ｃと、イエロー色の現像剤を用いるイエロー用ユニット１２Ｙと、ブラック色の現像剤を用いるブラック用ユニット１２Ｋとが備えられている。
【００１８】
そして、前記各ユニット１２Ｍ，１２Ｃ，１２Ｙ，１２Ｋには、感光体ドラム１２０および現像装置１２１がそれぞれ備えられている。なお、ブラック用ユニット１２Ｋの感光体ドラム１２０は、本発明の「モノクロ用感光体ドラム」に相当し、マゼンタ用ユニット１２Ｍ、シアン用ユニット１２Ｃおよびイエロー用ユニット１２Ｙの各感光体ドラム１２０は、本発明の「カラー用感光体ドラム」に相当する。
【００１９】
感光体ドラム１２０は、周面に静電潜像およびこの静電潜像に沿ったトナー像（可視像）を形成させるためのものであり、周面に強靱で耐摩耗性に優れた極めて平滑なアモルファスシリコン層が積層され、これによってこれらの像を形成させるのに適したものになっている。そして、各感光体ドラム１２０は、図１において反時計方向へ向けて回転しつつ対応した現像装置１２１から現像剤の供給を受けるようになっている。
【００２０】
各感光体ドラム１２０の直下位置には帯電装置１２２がそれぞれ設けられているとともに、各帯電装置１２２のさらに下方位置には露光装置１２３が設けられている。そして、各感光体ドラム１２０は、前記帯電装置１２２によって周面が一様に帯電され、コンピュータ等から入力された画像データに基づく各色に対応したレーザー光が前記各露光装置１２３から帯電後の感光体ドラム１２０の周面に照射されることにより、各感光体ドラム１２０の周面に静電潜像が形成されるようになっている。かかる静電潜像に現像装置１２１から現像剤が供給されることにより、感光体ドラム１２０の周面にトナー像が形成されるようになっている。
【００２１】
感光体ドラム１２０の上方位置には、中間転写ユニット（転写ベルト装置）２０が設けられている。この中間転写ユニット２０は、各感光体ドラム１２０に当接するように駆動ローラ２２および複数（本例では５つ）の従動ローラ２３（２３ａ〜２３ｅ）（図２，図３参照）間に張設された中間転写ベルト２４を有している。中間転写ベルト２４は、各感光体ドラム１２０に対応して設けられた１次転写ローラ２５（２５Ｍ，２５Ｃ，２５Ｙ，２５Ｋ）（図３参照）によって感光体ドラム１２０の周面に押し付けられた状態で各感光体ドラム１２０と同期しながら駆動ローラ２２と従動ローラ２３との間を周回するようになっている。
【００２２】
従って、中間転写ベルト２４が周回することによりその周面に対しマゼンタ用ユニット１２Ｍの感光体ドラム１２０によるマゼンタトナーのトナー像の転写が行なわれ、ついで中間転写ベルト２４の同一位置にシアン用ユニット１２Ｃの感光体ドラム１２０によるシアントナーのトナー像の転写が重ね塗り状態で行なわれ、ついで中間転写ベルト２４の同一位置にイエロー用ユニット１２Ｙの感光体ドラム１２０によるイエロートナーのトナー像の転写が重ね塗り状態で行なわれ、最後にブラック用ユニット１２Ｋの感光体ドラム１２０によるブラックトナーのトナー像の転写が重ね塗り状態で行なわれ、これによって中間転写ベルト２４の周面にカラーのトナー像が形成される。この中間転写ベルト２４の周面に形成されたカラーのトナー像が用紙貯留部１４から搬送されてきた用紙Ｐに転写されることになる。
【００２３】
なお、本実施形態の中間転写ユニット２０は、後記に詳述するように、カラートナーを使用しないモノクロ印刷時には、中間転写ベルト２４をカラー用の３つのユニット１２Ｍ，１２Ｃ，１２Ｙの各感光体ドラム１２０に対して非接触状態にするための３色解除機構を備えている。この機構によれば、モノクロ印刷時に上記３つのユニット１２Ｍ，１２Ｃ，１２Ｙの各感光体ドラム１２０の回転を停止させることが可能になるので、カラートナーの消費を抑えることができるようになっている。
【００２４】
そして、各感光体ドラム１２０の図１における左方位置には当該感光体ドラム１２０の周面の残留トナーを除去して清浄化するクリーニング装置１２６が設けられている。クリーニング装置１２６によって清浄化処理された感光体ドラム１２０の周面は、新たな帯電処理のために帯電装置１２２へ向かうことになる。
【００２５】
画像形成部１２の図１における左方位置には、上下方向に延びる用紙搬送路１１１が形成されている。この用紙搬送路１１１には、適所に搬送ローラ対１１２が設けられ、用紙貯留部１４からの用紙がこの搬送ローラ対１１２の駆動で駆動ローラ２２に掛け回されている中間転写ベルト２４へ向けて搬送されるようになっている。かかる用紙搬送路１１１には、駆動ローラ２２と対向した位置に中間転写ベルト２４の周面と当接した２次転写ローラ１１３が設けられ、用紙搬送路１１１を搬送されつつある用紙Ｐが中間転写ベルト２４と２次転写ローラ１１３とに押圧挟持されることによって中間転写ベルト２４上のトナー像が当該用紙Ｐに転写されるようになっている。
【００２６】
前記定着部１３は、画像形成部１２で転写された用紙上のトナー像に対し定着処理を施すものであり、内部に加熱源である通電発熱体を備えた加熱ローラ１３１と、図１における左方でこの加熱ローラ１３１と対向配置された定着ローラ１３２と、この定着ローラ１３２および前記加熱ローラ１３１間に張設された定着ベルト１３３と、この定着ベルト１３３を介して前記定着ローラ１３２と対向配置された加圧ローラ１３４とを備えて構成されている。
【００２７】
そして、前記中間転写ベルト２４と２次転写ローラ１１３との間のニップ部を通過することにより中間転写ベルト２４のトナー像が転写された状態で定着部１３へ供給された用紙Ｐは、加圧ローラ１３４と高温の定着ベルト１３３との間を通過しながら定着ベルト１３３からの熱を得て定着処理が施されるようになっている。
【００２８】
定着処理の完了したカラー画像付の用紙Ｐは、定着部１３の上部から延設された排紙搬送路１１４を通って装置本体１１の頂部に設けられた用紙排出部１５の排紙トレイ１５１へ向けて排出されることになる。
【００２９】
前記用紙貯留部１４は、装置本体１１の図１における右側壁に開閉自在に設けられた手差しトレイ１４１と、装置本体１１内における露光装置１２３より下方位置に挿脱可能に装着された用紙トレイ１４２とを備えて構成されている。用紙トレイ１４２には用紙束が貯留されるようになっている。
【００３０】
前記用紙トレイ１４２は、上面が全面開口の箱体を備えて構成され、複数枚の用紙Ｐが積層されてなる用紙束Ｐ１が貯留可能になっている。かかる用紙トレイ１４２に貯留された用紙束Ｐ１の最上位の用紙Ｐは、下流端（図１における左端）の上面が用紙束Ｐ１からピックアップローラ１４３の駆動で用紙搬送路１１１へ向けて繰り出されるようになっており、１枚ずつ繰り出され用紙Ｐが搬送ローラ対１１２の駆動で用紙搬送路１１１を通って画像形成部１２における２次転写ローラ１１３と中間転写ベルト２４との間のニップ部へ向けて送り込まれるようになっている。
【００３１】
次に、上記中間転写ユニット２０の構成について説明する。
【００３２】
本実施形態の中間転写ユニット２０は、上述の駆動ローラ２２、５つの従動ローラ２３（２３ａ〜２３ｅ）、中間転写ベルト２４および４つの１次転写ローラ２５（２５Ｍ，２５Ｃ，２５Ｙ，２５Ｋ）に加えて、フレーム２１と、保持体２６と、前後一対のカム２７１を有するカム駆動軸２７と、テンションローラ２８と、前後一対のアーム２９とを備えている。
【００３３】
フレーム２１は、中間転写ユニット２０を装置本体１１に取り付けるとともに、駆動ローラ２２と、４つの従動ローラ２３ａ，２３ｂ，２３ｄ，２３ｅと、ブラック用ユニット１２Ｋの感光体ドラム１２０に対応する１次転写ローラ２５Ｋと、保持体２６と、カム駆動軸２７とを支持するように構成されている。
【００３４】
保持体２６は、カラー用の３つのユニット１２Ｍ，１２Ｃ，１２Ｙの各感光体ドラム１２０にそれぞれ対向する３つの１次転写ローラ２５Ｍ，２５Ｃ，２５Ｙと、従動ローラ２３ｃとを保持するものである。
【００３５】
この保持体２６の左端には、前後一対の回動支点部２６１，２６２が設けられている。これらの回動支点部２６１，２６２は、フレーム２１の前後各側面部２１２，２１３にそれぞれ設けられた軸部２１４（後側の軸部は図示していない）に支持されており、これによって保持体２６をフレーム２１に対して回動可能に構成している。
【００３６】
一対のカム２７１は、保持体２６をフレーム２１に対して回動させるためのものであり、カム駆動軸２７の両端近傍に各々設けられている。これらのカム２７１は、それぞれ、カム駆動軸２７に取り付けられる軸取付け部２７１ａと、この軸取付け部２７１ａを中心に扇状に拡がるとともに、周面が保持体２６の上面に当接して当該保持体２６を下方に押圧する保持体押圧部２７１ｂとにより構成されている。
【００３７】
また、カム駆動軸２７は、その両端が、フレーム２１の前後側面部２１２，２１３に設けた図略の軸受部によって保持されている。本実施形態のカム駆動軸２７には、転写処理精度の向上の観点から高精度な位置設定を要求される１次転写ローラ２５Ｍ，２５Ｃ，２５Ｙを、各感光体ドラム１２０に対して接離させるためのカム２７１が設けられているため、当該カム駆動軸２７は、フレーム２１に極めて精度良く位置決めされて設けられている。また、カム駆動軸２７は、駆動伝達ギア列３４を介してカム軸駆動モータ３３に連結されている。カム軸駆動モータ３３および駆動伝達ギア列３４は、モータブラケット３５によりフレーム２１の上面部２１１に取り付けられている。
【００３８】
また、カム軸駆動モータ３３は、用紙にモノクロ印刷が行われるのか、カラー印刷が行われるのかを事前に判定する印刷方法判定手段を備えた図略の制御部によって駆動制御されるようになっている。
【００３９】
そして、上記カム２７１は、カム駆動軸２７の駆動によって、保持体押圧部２７１ｂが軸取付け部２７１ａの略直下に位置する下向き姿勢となることで、保持体２６を下方の押圧位置に押し下げて、１次転写ローラ２５を感光体ドラム１２０に対して接近させて、中間転写ベルト２４と感光体ドラム１２０とを接触状態にする一方、保持体押圧部２７１ｂが軸取付け部２７１ａの略直上に位置する上向き姿勢となることで、保持体２６を上方の解除位置に位置させて、１次転写ローラ２５を感光体ドラム１２０に対して離間させて、中間転写ベルト２４と感光体ドラム１２０とを非接触状態にするようになっている。
【００４０】
なお、保持体２６には、当該保持体２６の回動時に、カム駆動軸２７との接触を避けるための前後一対の切欠き部２６３が設けられている。
【００４１】
テンションローラ２８は、本実施形態では、マゼンタ用の１次転写ローラ２５Ｍの略上方に設けられている。このテンションローラ２８は、中間転写ベルト２４の内周面に接触して当該ベルト２４を外方向に押すことで、中間転写ベルト２４に所定のテンションを付与するようになっている。
【００４２】
また、テンションローラ２８は、そのローラ軸２８１の両端が前後一対のアーム２９によって保持されており、ローラ軸２８１の軸方向と直交方向に揺動可能とされている。
【００４３】
そして、本実施形態では、両方のアーム２９は、前記カム駆動軸２７に回動可能に連結されて支持されており、カム駆動軸２７がテンションローラ２８の揺動支軸として機能するようになっている。各アーム２９は、ローラ軸接続部２９１と、カム軸接続部２９２と、連結部２９３とにより構成されており、連結部２９３には、次述の引張りバネ３０の一端が取り付けられるアーム側のバネ取付け部２９３ａが設けられている。
【００４４】
また、各アーム２９は、テンションローラ２８が中間転写ベルト２４の内周面に当接して外向きのテンションを付加可能なように、引張りバネ３０によって常時付勢されている。引張りバネ３０は、その他端がフレーム２１の側面部２１２（２１３）に設けた図略のフレーム側のバネ取付け部に取り付けられている。なお、引張りバネ３０以外の付勢手段を用いることもできる。例えば、カム駆動軸２７に設けたねじりコイルバネによって、テンションローラ２８が中間転写ベルト２４の内周面に当接して外向きのテンションを付加可能なようにアーム２９を付勢してもよい。
【００４５】
また、カム駆動軸２７の後部には、当該カム駆動軸２７の回転方向の位置、すなわちカム２７１の姿勢を検出するための位置検出片２７２が設けられている。そして、フレーム２１の上面部２１１には、前記位置検出片２７２を検出可能なカム位置検出センサ３１がセンサブラケット３２を介して取り付けられている。
【００４６】
なお、本実施形態では、上記した保持体２６と、カム２７１を有するカム駆動軸２７とにより、上述の３色解除機構が構成されている。
【００４７】
以上のように構成された中間転写ユニット２０では、カラー印刷時には、図５に示すように、カム２７１が下向き姿勢となっており、保持体２６が下方の押圧位置に押し下げられている。従って、中間転写ベルト２４とカラー用の３つのユニット１２Ｍ，１２Ｃ，１２Ｙの各感光体ドラム１２０とが接触状態となっており、各カラーのトナー像が中間転写ベルト２４に重ね塗り状態で転写される。
【００４８】
そして、カラー印刷からモノクロ印刷への移行に際して、カム２７１が上向き姿勢となるようにカム駆動軸２７が回転駆動されて（図５の矢印ａ）、保持体２６が上方の解除位置に移動する（図５の矢印ｂ）。これにより、中間転写ベルト２４とカラー用の３つのユニット１２Ｍ，１２Ｃ，１２Ｙの各感光体ドラム１２０とが非接触状態となるので、各感光体ドラム１２０の回転を停止させることができるようになる。
【００４９】
また、上記保持体２６の解除位置への移動により、中間転写ベルト２４の下部が上方に変位されるため、中間転写ベルト２４からテンションローラ２８に加えられる下向きの力が減少するが、テンションローラ２８がカム駆動軸２７を中心に引張りバネ３０の付勢力によって反時計回りの方向に回動する（図５の矢印ｃ）ので、中間転写ベルト２４には変わらず所定のテンションが付与される。これにより、当該中間転写ベルト２４が弛むことがない。
【００５０】
また、モノクロ印刷からカラー印刷への移行時には、上記とは逆の動作が行われ、この時、保持体２６の押圧位置への移動により、中間転写ベルト２４の下部が１次転写ローラ２５により下方に変位される。このため、テンションローラ２８には、中間転写ベルト２４から下向きの力が加わるが、テンションローラ２８がカム駆動軸２７を中心に時計回り方向に回動するので、中間転写ベルト２４には所定のテンションが付与される。
【００５１】
そして、本実施形態では、テンションローラ２８を支持する一対のアーム２９がカム駆動軸２７に回動可能に連結されて支持されているため、テンションローラ２８の上記回動動作によって当該ローラ２８の軸方向がぶれるのが抑えられる。
【００５２】
本実施形態では、上記のように、カム駆動軸２７には、転写処理精度の向上の観点から高精度な位置設定を要求される１次転写ローラ２５を、感光体ドラム１２０に対して接離させるためのカム２７１が設けられているため、当該カム駆動軸２７は、フレーム２１に精度良く位置決めされて設けられている。そして、そのカム駆動軸２７が、テンションローラ２８を揺動可能に支持する揺動支軸として機能するように構成したので、揺動によってテンションローラ２８の軸方向がぶれるのを抑えることができる。これにより、テンションローラ２８の軸ぶれに起因する中間転写ベルト２４の蛇行を抑えることができるので、転写不良を未然に防ぐことができる。
【００５３】
また、本実施形態では、上記のように、テンションローラ２８を揺動可能に保持するアーム２９をカム駆動軸２７に回動可能に支持させたので、テンションローラ２８を、カム駆動軸２７を中心とする軌道上で揺動させることができる。これにより、テンションローラ２８の揺動が安定するので、当該揺動によってテンションローラ２８の軸方向がぶれるのを十分に抑えることができる。
【００５４】
本発明は上記の実施形態に限定されるものではなく、以下の内容をも包含するものである。
【００５５】
上記の実施形態においては、画像形成装置としてプリンタ１０を例に挙げて説明したが、本発明は、画像形成装置がプリンタ１０であることに限定されるものではなく、複写機やファクシミリ装置であってもよい。
【図面の簡単な説明】
【００５６】
【図１】本発明の一実施形態によるプリンタの全体構成を示した正面断面図である。
【図２】プリンタの中間転写ユニットを左前方の上方から見た状態を示した斜視図である。
【図３】プリンタの中間転写ユニットを左後方の下方から見た状態を示した斜視図である。
【図４】中間転写ユニットのカム駆動軸周辺の要部構成を説明するための斜視図である。
【図５】カラー印刷時の中間転写ユニットの状態を概略的に示した説明図である。
【図６】モノクロ印刷時の中間転写ユニットの状態を概略的に示した説明図である。
【符号の説明】
【００５７】
１０  プリンタ（画像形成装置）
２０  中間転写ユニット（転写ベルト装置）
２１  フレーム
２２  駆動ローラ
２３（２３ａ〜２３ｅ）  従動ローラ
２４  中間転写ベルト（転写ベルト）
２５（２５Ｍ、２５Ｃ、２５Ｙ、２５Ｋ）  １次転写ローラ（転写ローラ）
２６  保持体
２７  カム駆動軸
２８  テンションローラ
２９  前後一対のアーム
１２０  感光体ドラム
２７１  カム
【図１】
2009175581.tif 000003
【図２】
2009175581.tif 000004
【図３】
2009175581.tif 000005
【図４】
2009175581.tif 000006
【図５】
2009175581.tif 000007
【図６】
2009175581.tif 000008